(57)【要約】      （修正有）【課題】媒体から生じる蒸気を好適に排出できる加熱装置、媒体処理装置及びその媒体処理方法を提供する。【解決手段】記録装置（媒体処理装置）１１は、記録部１５によって液体が付着される媒体９９が搬送される搬送方向において記録部よりも下流側で媒体を支持する支持面２３と、支持面に支持される媒体を加熱するための加熱部４１と、流入口５５及び支持面に向けて開口する吹出口５６を有する流路４３と、流路内に配置され、流入口から流入する気体を吹出口から吹き出させる送風機４４と、を備え、流入口は、吹出口から吹き出される気体の少なくとも一部が流入するように開口し、吹出口は、流入口に対して記録部が位置する側に位置し、吹き出し方向が、支持面に沿う方向において流入口が位置する側を向く。【選択図】図１
2019064124.tif 000002
【特許請求の範囲】
【請求項１】
記録部によって液体が付着される媒体が搬送される搬送方向において前記記録部よりも下流側で前記媒体を支持する支持面と、
前記支持面に支持される前記媒体を加熱するための加熱部と、
流入口及び前記支持面に向けて開口する吹出口を有する流路と、
前記流路内に配置され、前記流入口から流入する気体を前記吹出口から吹き出させる送風機と、を備え、
前記流入口は、前記吹出口から吹き出される前記気体の少なくとも一部が流入するように開口し、
前記吹出口は、前記流入口に対して前記記録部が位置する側に位置し、吹き出し方向が、前記支持面に沿う方向において前記流入口が位置する側を向くことを特徴とする媒体処理装置。
【請求項２】
前記流入口は、前記吹出口が位置する側を向いて開口することを特徴とする請求項１に記載の媒体処理装置。
【請求項３】
前記流入口には、前記支持面に対して傾斜し、前記吹出口が位置する側に向けて延びるすくい面が設けられることを特徴とする請求項１又は請求項２に記載の媒体処理装置。
【請求項４】
前記加熱部は、前記吹出口と前記流入口との間に配置されることを特徴とする請求項１乃至請求項３のうち何れか一項に記載の媒体処理装置。
【請求項５】
前記吹出口の開口面積が前記流入口の開口面積よりも小さいことを特徴とする請求項１乃至請求項４のうち何れか一項に記載の媒体処理装置。
【請求項６】
前記加熱部を収容する筐体を有し、
前記流入口は、前記筐体の一部を構成する第１壁部材と、前記第１壁部材よりも前記吹出口が位置する側に位置し、前記筐体の一部を構成する第２壁部材と、前記第１壁部材及び前記第２壁部材と交差し、前記筐体の一部を構成する側壁部材とによって形成され、
前記側壁部材は、前記第２壁部材よりも前記支持面に近い位置にまで延びることを特徴とする請求項１乃至請求項５のうち何れか一項に記載の媒体処理装置。
【請求項７】
記録部によって液体を付着される媒体が搬送される搬送方向において記録部よりも下流側で前記媒体を支持する支持面に対向するように配置される加熱装置であって、
前記支持面に支持される前記媒体を加熱するための加熱部と、
流入口及び前記支持面に向けて開口する吹出口を有する流路と、
前記流路内に配置され、前記流入口から流入する気体を前記吹出口から吹き出させる送風機と、を備え、
前記流入口は、前記吹出口から吹き出される前記気体の少なくとも一部が流入するように開口し、
前記吹出口は、前記流入口に対して前記記録部が位置する側に位置し、吹き出し方向が、前記支持面に沿う方向において前記流入口が位置する側を向くことを特徴とする加熱装置。
【請求項８】
傾斜した斜面に支持される媒体への乾燥処理を行う媒体処理方法であって、
気体を加熱し、
加熱された前記気体を、前記斜面に沿って鉛直上方から鉛直下方に向けて流動させ、流動させた前記気体を流路に流入させることで、循環させる媒体処理方法。
【発明の詳細な説明】
【技術分野】
【０００１】
本発明は、加熱装置、媒体処理装置及びその媒体処理方法に関する。
【背景技術】
【０００２】
特許文献１には、媒体処理装置の一例として、記録ヘッドからインク等の液体が噴射された媒体を加熱することによって、その媒体を乾燥させる媒体乾燥装置が記載されている。この媒体乾燥装置は、媒体を加熱する赤外線ヒーターと、媒体に気体を吹き付ける吹付け部と、加熱によって媒体から生じる蒸気を取り除くための液体分離部とを備えている。
【先行技術文献】
【特許文献】
【０００３】
【特許文献１】特開２０１６−１０７４６９号公報
【発明の概要】
【発明が解決しようとする課題】
【０００４】
こうした媒体乾燥装置においては、吹付け部が媒体に気体を吹き付ける際に、媒体から生じた蒸気が装置の外部に流れることがある。この蒸気が媒体乾燥装置から記録ヘッドが位置する側に向けて流れる場合、その蒸気によって記録ヘッドの噴射性能を損なう虞がある。
【０００５】
本発明の目的は、媒体から生じる蒸気を好適に排出できる加熱装置、媒体処理装置及びその媒体処理方法を提供することにある。
【課題を解決するための手段】
【０００６】
以下、上記課題を解決するための手段及びその作用効果について記載する。
上記課題を解決する媒体処理装置は、記録部によって液体が付着される媒体が搬送される搬送方向において前記記録部よりも下流側で前記媒体を支持する支持面と、前記支持面に支持される前記媒体を加熱するための加熱部と、流入口及び前記支持面に向けて開口する吹出口を有する流路と、前記流路内に配置され、前記流入口から流入する気体を前記吹出口から吹き出させる送風機と、を備え、前記流入口は、前記吹出口から吹き出される前記気体の少なくとも一部が流入するように開口し、前記吹出口は、前記流入口に対して前記記録部が位置する側に位置し、吹き出し方向が、前記支持面に沿う方向において前記流入口が位置する側を向く。
【０００７】
吹出口は、記録部とは反対側に位置する流入口に向かうように気体を吹き出す。そのため、加熱部の加熱により媒体から生じる蒸気は、吹出口から吹き出す気体によって、支持面に沿って記録部とは反対側に流れ、流入口と支持面との間から装置の外部に排出される。上記構成によれば、加熱部により加熱される領域に対して吹出口が位置する側に記録部が位置する場合に、媒体から生じた蒸気が加熱部により加熱される領域から記録部に向けて流れる虞を低減できる。したがって、蒸気を好適に排出できる。
【０００８】
上記媒体処理装置において、前記流入口は、前記吹出口が位置する側を向いて開口することが好ましい。
この構成によれば、吹出口から吹き出される気体を流入口に流入させやすくできる。そのため、加熱部により加熱される気体の一部は、流路を通じて装置の内部で循環される。その一方で、支持面に支持される媒体から生じる蒸気は、吹出口から吹き出される気体によって支持面に押し付けられるように流れ、装置の外部に排出される。これにより、熱効率をよくしつつ、蒸気を好適に排出することができる。
【０００９】
上記媒体処理装置において、前記流入口には、前記支持面に対して傾斜し、前記吹出口が位置する側に向けて延びるすくい面が設けられることが好ましい。
この構成によれば、すくい面が吹出口から吹き出す気体をすくい上げることによって、その気体を流入口に流入させやすくできる。そのため、加熱部により加熱される気体の一部は、流路を通じて装置の内部を循環される。その一方で、支持面に支持される媒体から生じる蒸気は、吹出口から吹き出される気体によって支持面に押し付けられるように流れるため、装置の外部に排出される。これにより、熱効率をよくしつつ、蒸気を好適に排出することができる。
【００１０】
上記媒体処理装置において、前記加熱部は、前記吹出口と前記流入口との間に配置されることが好ましい。
この構成によれば、吹出口から吹き出す気体は、加熱部により加熱される領域を通過する。そのため、吹出口から吹き出す気体は、加熱部により効果的に加熱される。これにより、熱効率をよくすることができる。
【００１１】
上記媒体処理装置において、前記吹出口の開口面積が前記流入口の開口面積よりも小さいことが好ましい。
この構成によれば、吹出口から吹き出す気体の風速を速めることができる。そのため、媒体から生じる蒸気が、吹出口が位置する側から装置の外部に排出される虞を低減できる。
【００１２】
上記媒体処理装置においては、前記加熱部を収容する筐体を有し、前記流入口は、前記筐体の一部を構成する第１壁部材と、前記第１壁部材よりも前記吹出口が位置する側に位置し、前記筐体の一部を構成する第２壁部材と、前記第１壁部材及び前記第２壁部材と交差し、前記筐体の一部を構成する側壁部材とによって形成され、前記側壁部材は、前記第２壁部材よりも前記支持面に近い位置にまで延びることが好ましい。
【００１３】
この構成によれば、加熱部により加熱された気体が側壁部材と支持面との間の隙間から装置の外部に流れることが抑制される。すなわち、熱効率をよくすることができる。
上記課題を解決する加熱装置は、記録部によって液体を付着される媒体が搬送される搬送方向において記録部よりも下流側で前記媒体を支持する支持面に対向するように配置される加熱装置であって、前記支持面に支持される前記媒体を加熱するための加熱部と、流入口及び前記支持面に向けて開口する吹出口を有する流路と、前記流路内に配置され、前記流入口から流入する気体を前記吹出口から吹き出させる送風機と、を備え、前記流入口は、前記吹出口から吹き出される前記気体の少なくとも一部が流入するように開口し、前記吹出口は、前記流入口に対して前記記録部が位置する側に位置し、吹き出し方向が、前記支持面に沿う方向において前記流入口が位置する側を向く。
【００１４】
この構成によれば、上記媒体処理装置と同様の効果を得ることができる。
上記課題を解決する媒体処理方法は、傾斜した斜面に支持される媒体への乾燥処理を行う媒体処理方法であって、気体を加熱し、加熱された前記気体を、前記斜面に沿って鉛直上方から鉛直下方に向けて流動させ、流動させた前記気体を流路に流入させることで、循環させる。
【００１５】
この方法によれば、加熱された気体が斜面に沿って鉛直上方に流動する虞が低減される。すなわち、例えば媒体に液体を付着させて記録する記録部が鉛直上方に位置する場合に、乾燥処理に伴って生じる蒸気が記録部に向けて流れる虞を低減できる。したがって、蒸気を好適に排出できる。
【図面の簡単な説明】
【００１６】
【図１】記録装置の一実施形態を模式的に示す側面図。
【図２】図１における２−２線矢視断面図。
【図３】図１における３−３線矢視断面図。
【発明を実施するための形態】
【００１７】
以下、媒体処理装置の一例である記録装置の実施形態について、図を参照して説明する。記録装置は、例えば、液体の一例であるインクを噴射することによって用紙などの媒体に文字、写真等の画像を記録するインクジェット式のプリンターである。
【００１８】
図１に示すように、記録装置（媒体処理装置）１１は、収容体１２と、媒体９９を支持する支持部１３と、媒体９９を支持部１３に沿って搬送する搬送部１４と、収容体１２内に配置される記録部１５と、収容体１２外に配置され、液体が付着された媒体９９を加熱する加熱装置４０と、を備える。媒体９９は、例えば、円筒状に巻き重ねられたロール紙である。
【００１９】
支持部１３は、第１支持板１６、第２支持板１７、及び第３支持板１８を有する。搬送部１４により搬送される媒体９９の搬送方向においてその上流側から順に第１支持板１６、第２支持板１７、及び第３支持板１８が並べられる。
【００２０】
第１支持板１６及び第２支持板１７は、収容体１２と対向する。第１、第２支持板１６、１７において収容体１２と対向するそれぞれの面が、媒体９９を支持する支持面２１、２２である。第３支持板１８は、加熱装置４０と対向する。第３支持板１８において加熱装置４０と対向する面が、媒体９９を支持する支持面２３である。本実施形態では、第１、第２、第３支持板１６、１７、１８において鉛直上方側の面が支持面２１、２２、２３である。
【００２１】
搬送部１４は、例えば、媒体９９に接した状態で回転することによって媒体９９を搬送する複数の搬送ローラー２４を有する。本実施形態において、搬送ローラー２４は、媒体９９の搬送方向において第１支持板１６と第２支持板１７との間、及び第２支持板１７と第３支持板１８との間に配置される。搬送部１４により搬送される媒体９９の搬送方向は、第１、第２、第３支持板１６、１７、１８の支持面２１、２２、２３に沿う方向である。なお、本実施形態において搬送部１４は複数の搬送ローラー２４を有するが、媒体９９を搬送することが可能な構成であればよく、１つの搬送ローラー２４のみを有する構成であっても良い。
【００２２】
記録部１５は、液体を噴射するヘッド２５と、ヘッド２５を保持するキャリッジ２６と、キャリッジ２６の移動を案内するガイド軸２７と、を有する。ヘッド２５から噴射される液体は、例えばインクである。ヘッド２５は、第２支持板１７と対向し、第２支持板１７に支持される媒体９９に液体を噴射する。記録部１５が媒体９９に液体を噴射することによって、媒体９９に画像が記録される。ヘッド２５は、媒体９９の幅方向に延びるガイド軸２７に沿って、キャリッジ２６とともに往復移動しながらインクを噴射する。なお、媒体９９の幅方向は、媒体９９の搬送方向とは異なる方向である。
【００２３】
加熱装置４０は、記録部１５によって液体が付着された媒体９９を加熱し、加熱により媒体９９に付着した液体を蒸発させ、その媒体９９を乾燥させる処理を施す。
第３支持板１８は、媒体９９の搬送方向において、記録部１５よりも下流側で媒体９９を支持する。すなわち、第３支持板１８の支持面２３は、記録部１５によって液体が付着された媒体９９を支持する。本実施形態の第３支持板１８は、媒体９９の搬送方向の上流側から下流側に向けて、鉛直上方から鉛直下方に向かって傾斜しながら延びる。すなわち、第３支持板１８は、搬送方向における上流部分が下流部分よりも鉛直上方に位置するように配置される。そのため、第３支持板１８の支持面２３は、傾斜した斜面である。
【００２４】
加熱装置４０は、第３支持板１８の支持面２３に対向する。加熱装置４０は、支持面２３に対して間隔をあけて配置される。そのため、搬送部１４に搬送される媒体９９は、支持面２３と加熱装置４０との間の領域を通過する。加熱装置４０は、記録部１５によって画像が記録され、搬送部１４によって搬送される媒体９９を加熱する。
【００２５】
図１及び図２に示すように、加熱装置４０は、媒体９９を加熱するための加熱部４１と、加熱部４１を収容する筐体４２と、気体が流れる流路４３と、気体を送風する送風機４４とを備える。加熱部４１は、支持面２３と対向する位置に配置され、支持面２３に支持された媒体９９を加熱する。加熱部４１は、発熱する発熱体として、媒体９９の幅方向に延びるヒーター管４５と、発熱体の熱を反射する反射板４６と、を有する。ヒーター管４５は、支持面２３に沿って複数配置される。反射板４６は、ヒーター管４５の上部を囲い、ヒーター管４５から生じる赤外線を支持面２３側に反射する。なお、本実施形態では発熱体としてヒーター管４５が用いられるが、発熱する部材であれば良い。
【００２６】
筐体４２は、加熱部４１を囲む内壁５１と、内壁５１を囲む外壁５２とを有する。外壁５２は、内壁５１の外側に配置される。内壁５１及び外壁５２は、支持面２３に向けて開口する箱形状をなす。内壁５１及び外壁５２は、支持面２３に対向する開口５３、５４をそれぞれ有する。内壁５１は、媒体９９の幅方向におけるその側壁部分が、外壁５２の側壁部分と接触するように配置される（図２参照）。そのため、外壁５２の側壁部分が筐体４２の側壁部分を構成する。なお、内壁５１の側壁部分及び外壁５２の側壁部分は一体とされてもよい。また、筐体４２の側壁部分は、筐体４２を構成する他の壁部材に対して着脱可能とされてもよい。内壁５１及び外壁５２は流路４３を形成する。
【００２７】
流路４３は、内壁５１の外側且つ外壁５２の内側の領域である。流路４３は、加熱部４１を囲む。流路４３は、支持面２３に向けて開口する流入口５５及び吹出口５６を有する。流入口５５及び吹出口５６の縁を構成する部材は、内壁５１及び外壁５２の一部である。
【００２８】
吹出口５６は、流入口５５に対して記録部１５が位置する側に位置する。すなわち、吹出口５６は、搬送方向において流入口５５よりも上流側に位置する。本実施形態の吹出口５６は、流入口５５よりも上方に位置する。吹出口５６は、支持面２３において搬送方向の上流部分と対向する。流入口５５は、支持面２３において搬送方向の下流部分と対向する。
【００２９】
送風機４４は、流路４３内に配置される。送風機４４は、回転することにより気流を発生させるファン４７を有する。送風機４４は、流路４３内において、媒体９９の幅方向に並ぶように複数設けられてもよい。
【００３０】
送風機４４は、流路４３内の気体を吹出口５６に向けて流動させるように配置される。流路４３内の気体とは例えば空気である。送風機４４により流動された気体は、流路４３に沿って送られ、吹出口５６から吹き出される。すなわち、送風機４４は、流入口５５から流入する気体を吹出口５６から吹き出させる。このとき、吹出口５６から吹き出される空気の大部分は、吹出口５６を構成する部材が延伸する方向に沿って吹き出される。つまり、吹出口５６の吹き出し方向は、吹出口５６を構成する部材の延伸方向によって定義される。
【００３１】
吹出口５６は、その吹き出し方向が、支持面２３に沿う方向において流入口５５が位置する側を向く形状である。換言すれば、吹出口５６と連なる流路４３の下流部分は、支持面２３に対して傾斜するように延びる。また、本実施形態の吹出口５６は、搬送方向の下流側を向くように開口する。そのため、吹出口５６から吹き出す気体は、大部分が支持面２３に沿って流入口５５が位置する側に向かうように流れる。すなわち、吹出口５６から吹き出される気体は、図１において矢印Ａで示すように、支持面２３上における媒体９９の搬送方向に流れる。本実施形態において、吹出口５６から吹き出す気体は、支持面２３に沿って鉛直上方から鉛直下方に向かうように流れる。
【００３２】
吹出口５６から吹き出した気体は、図１において矢印Ｂで示すように一部が流入口５５に流入され、図１において矢印Ｃで示すように一部が流入口５５と支持面２３との間から加熱装置４０の外部に排出される。加熱装置４０は、吹出口５６から吹き出す気体の一部が流路４３を通じて加熱装置４０の内部を循環するように構成される。そのため、流入口５５は、吹出口５６から吹き出される気体の少なくとも一部が流入するように開口していればよい。
【００３３】
加熱装置４０は、支持面２３に支持される媒体９９を加熱しつつその媒体９９に気体を吹き付けることによって、媒体９９を乾燥させる。すなわち、記録済みの媒体９９が支持部１３に沿って搬送され、加熱装置４０と支持面２３との間となる乾燥領域に到達すると、ヒーター管４５が発する熱と、吹出口５６から吹き出す気体とによって、その媒体９９に付着した液体の蒸発が促進される。換言すれば、記録装置（媒体処理装置）１１は、支持面２３に支持される媒体９９に対して乾燥処理を実行する。
【００３４】
加熱部４１によって媒体９９を加熱すると、媒体９９に付着した液体が蒸発することによって蒸気が生じる。媒体９９の表面に蒸気が滞留すると、媒体９９に付着した液体が蒸発しづらくなる。加熱装置４０は、媒体９９に気体を吹き付けてその蒸気を除去することによって、媒体９９に付着した液体の蒸発を促進させる。このようにして、加熱装置４０は、液体が付着された媒体９９を乾燥させる。
【００３５】
吹出口５６から吹き出して乾燥領域を通過した気体の一部は、流入口５５に流入されて、流路４３内に入る。乾燥領域から流路４３に流入した気体は加熱されているため、乾燥領域の外から気体が流入口５５に流入する場合よりも加熱装置４０内が冷えにくい。すなわち、吹出口５６から吹き出す気体の温度が高くなりやすく、加熱装置４０は加熱装置４０内の温度を効率的に上昇させることができる。また、加熱部４１を囲むように流路４３が配置されると、加熱部４１から生じる熱により、流路４３内の温度が高くなる。これらにより、ヒーター管４５が発する熱が回収されて乾燥に再利用されることで、加熱装置４０の熱損失が抑えられるため、加熱装置４０における熱効率がよくなる。まとめると、乾燥処理を実行する記録装置（媒体処理装置）１１は、気体を加熱し、加熱された気体を傾斜した支持面２３に沿って鉛直上方から鉛直上方に向けて流動させ、流動させた気体を流路４３に流入させることによって循環させる。こうすることにより、記録装置（媒体処理装置）１１は、媒体９９を乾燥させる。
【００３６】
吹出口５６は、流入口５５と比較して開口面積が小さいことが好ましい。この場合、流入口５５に流入される気体の風速よりも、吹出口５６から吹き出される気体の風速が速くなる。媒体９９に吹き付けられる気体の風速を速めることによって、媒体９９の表面に滞留する蒸気が除去されやすくなる。
【００３７】
流入口５５及び吹出口５６の開口面積は、内壁５１と外壁５２との距離によって変わる。例えば、図１に示す状態よりも内壁５１が外壁５２に対して搬送方向の上流寄りに位置する場合には、流入口５５の開口面積が大きくなり、吹出口５６の開口面積が小さくなる。
【００３８】
媒体９９から生じる蒸気を吹出口５６から吹き出す気体により除去する際、吹出口５６から吹き出す気体の一部とともにその蒸気が流入口５５に流入することがある。流入口５５から流入する蒸気が多い場合、蒸気が加熱装置４０の内部を循環することによって、加熱装置４０内の湿度が高くなりやすい。加熱装置４０内の湿度が高くなると、媒体９９を乾燥させづらくなる。そのため、加熱装置４０は、吹出口５６から吹き出す気体の一部とともに媒体９９から生じる蒸気を加熱装置４０の外部に排出する。
【００３９】
支持面２３に支持される媒体９９に吹出口５６から気体を吹き付けることによって、媒体９９から生じる蒸気が支持面２３に押し付けられるようにして搬送方向に流れる。換言すれば、媒体９９から生じる蒸気は、吹出口５６から吹き出す気体によって、鉛直上方に浮き上がりにくくなる。したがって媒体９９から生じる蒸気を多く含む気体は、支持面２３に沿って流入口５５が位置する側に向かって流れ、吹出口５６から吹き出す気体の一部とともに流入口５５と支持面２３との間から加熱装置４０の外部に排出されやすい。本実施形態において、媒体９９から生じる蒸気を効果的に除去及び排出するために、吹出口５６から吹き出す気体の風速は約２ｍ／ｓもしくは、それ以上であることが好ましい。
【００４０】
流入口５５は、吹出口５６が位置する側を向くように開口することが好ましい。流入口５５と連なる流路４３の上流部分は、支持面２３に対して傾斜するように延びることが好ましい。本実施形態の流入口５５は、搬送方向の上流側を向くように開口する。流入口５５が吹出口５６が位置する側を向くことによって、吹出口５６から吹き出す気体が流入口５５に流入しやすくなる。こうすると、加熱装置４０が加熱部４１により加熱された気体を循環させやすくなるため、熱効率がよくなる。
【００４１】
流入口５５は、気体を流入させやすくするためのすくい面５７を有することが好ましい。すくい面５７は、支持面２３に対して傾斜し、吹出口５６が位置する側に向けて延びる面である。すくい面５７は、吹出口５６から吹き出され、支持面２３に沿って流入口５５が位置する側に向けて流れる気体をすくい上げるように機能する。こうすると、加熱部４１により加熱された気体を循環させやすくなるため、熱効率がよくなる。
【００４２】
流入口５５に流入される気体の流量と、加熱装置４０の外部に排出される気体の流量との比は、８：２となることが好ましい。そうすることにより、媒体９９から生じる蒸気を装置外に排出しつつ、装置内を高温に維持できる。
【００４３】
加熱部４１は、流入口５５と吹出口５６との間に配置されることが好ましい。流入口５５と吹出口５６との間に加熱部４１を配置することによって、吹出口５６から吹き出した気体が、加熱部４１により加熱される領域を通過する。そのため、吹出口５６から吹き出す気体が加熱部４１により効果的に加熱される。また、支持面２３に支持される媒体９９が、対向する加熱部４１により直接加熱されるため、乾燥効率が良い。
【００４４】
内壁５１の開口５３に、金網５８を配置することが好ましい。そうすると、金網５８越しにヒーター管４５の熱を支持面２３上の媒体９９に伝えることができる。また、支持面２３に沿って吹出口５６から流入口５５に向かう気流を金網５８に沿って流れるように制御できる。本実施形態では金網５８が用いられるが、吹出口５６から流入口５５に向かう方向に気体を誘導する部材であればよい。この場合、当該部材は、ヒーター管４５から発生する熱の、支持面２３側への伝達を過度に妨げない構造であることが望ましい。
【００４５】
図２及び図３に示すように、流入口５５は、筐体４２の一部分である第１壁部材６１、第２壁部材６２及び側壁部材６３とで囲まれて形成されることが好ましい。第１、第２壁部材６１、６２及び側壁部材６３は、流入口５５と連なる流路４３の上流部分を形成する。
【００４６】
第１壁部材６１は、外壁５２の一部分である。第２壁部材６２は、内壁５１の一部分である。第２壁部材６２は、第１壁部材６１と対向する。側壁部材６３は、外壁５２の一部分である。側壁部材６３は、第１、第２壁部材６１、６２と交差する面を有し、第１、第２壁部材６１、６２と接続する。第１壁部材６１は、第２壁部材６２と対向する側にすくい面５７を有する。そのため、吹出口５６から吹き出す気体のうち、装置の外部に排出される気体は、第１壁部材６１と支持面２３との隙間を通過する。
【００４７】
外壁５２は、その開口５４が内壁５１の開口５３よりも支持面２３に対して接近する位置となるように配置されることが好ましい。すなわち、流入口５５を形成する側壁部材６３が第２壁部材６２よりも支持面２３に近い位置にまで延びることが好ましい。これにより、吹出口５６から吹き出される気体の一部が側壁部材６３と支持面２３との隙間から気体が加熱装置４０の外部に流れることが抑制されやすい。その結果として、吹出口５６から吹き出される気体が流入口５５に流入されやすく、より、加熱装置４０の熱効率が向上する。
【００４８】
第１壁部材６１は、第２壁部材６２よりも支持面２３に近い位置にまで延びることが好ましい。こうすることにより、流入口５５は、吹出口５６が位置する側を向くように開口する。これにより、吹出口５６から吹き出される気体の一部が第１壁部材６１と支持面２３との間から加熱装置４０の外部に流れることが抑制されやすい。その結果として、吹出口５６から吹き出される気体が流入口５５に流入されやすく、加熱装置４０に対する流入口５５側の外部から流入口５５に流入される気体の量が低減され、より、加熱装置４０の熱効率が向上する。
【００４９】
次に、記録装置１１及び加熱装置４０の作用について説明する。
加熱装置４０により加熱されることによって媒体９９から生じる蒸気が記録装置１１の収容体１２内に流入すると、その蒸気によって記録部１５のヘッド２５に結露が生じ、水滴が付着することがある。ヘッド２５に水滴が付着すると、記録部１５の記録品質に影響を及ぼす場合がある。一般的に、蒸気は、空気よりも密度が小さいため、浮力により上方に浮き上がりやすい。そのため、特に本実施形態のように、支持面２３が搬送方向の上流側から下流側に向かって上方から下方に傾斜して延びる構成においては、媒体９９から生じる蒸気が吹出口５６側に向けて流れやすい。すなわち、搬送方向において吹出口５６よりも上流側に位置する記録部１５に向けて蒸気が流れやすい。
【００５０】
記録装置１１は、吹出口５６から吹き出す気体が、記録部１５が位置する側とは反対側に流れるように構成される。すなわち、吹出口５６は、記録部１５が位置する側に蒸気が流れないように、吹出口５６に対して記録部１５が位置する側とは反対側となる流入口５５が位置する側に向けて気体を吹き出す。蒸気は、吹出口５６から吹き出す気体によって、流入口５５が位置する側から加熱装置４０の外部に排出される。そのため、吹出口５６と支持面２３との間を通じて、蒸気が記録部１５に向けて流れる虞が低減される。また、吹出口５６から吹き出す気体がエアカーテンのような役割を果たすことにより、記録部１５が位置する側に向けて蒸気が流れる虞がより低減される。
【００５１】
上記実施形態によれば、以下に示す効果を得ることができる。
（１）吹出口５６は、記録部１５とは反対側に位置する流入口５５に向かうように気体を吹き出す。そのため、加熱部４１の加熱により媒体９９から生じる蒸気は、吹出口５６から吹き出す気体によって、支持面２３に沿って記録部１５とは反対側に流れ、流入口５５と支持面２３との間から装置の外部に排出される。上記実施形態によれば、加熱装置４０（加熱部４１）により加熱される領域に対して吹出口５６が位置する側に記録部１５が位置する場合に、媒体９９から生じた蒸気が加熱装置４０（加熱部４１）により加熱される領域から記録部１５に向けて流れる虞を低減できる。したがって、蒸気を好適に排出できる。
【００５２】
（２）流入口５５は、吹出口５６が位置する側を向くように開口している。これにより、吹出口５６から吹き出す気体を流入口５５に流入させやすくできる。特に、加熱部４１によって加熱された気体は上方に浮き上がろうとするため、本実施形態においては、支持面２３に向けて開口する流入口５５にその気体が流入されやすい。そのため、加熱部４１により加熱される気体の一部は、流路４３を通じて装置の内部で循環される。その一方で、支持面２３に支持される媒体９９から生じる蒸気は、吹出口５６から吹き出す気体によって支持面２３に押し付けられるように流れ、装置の外部に排出される。これにより、熱効率をよくしつつ、蒸気を好適に排出することができる。
【００５３】
（３）流入口５５には、吹出口５６から吹き出す気体を流入させやすくするために、支持面２３に対して傾斜し、吹出口５６が位置する側に向けて延びるすくい面５７が設けられる。すくい面５７が吹出口５６から吹き出す気体をすくい上げることによって、その気体を流入口５５に流入させやすくできる。特に、加熱部４１によって加熱された気体は、上方に浮き上がろうとするため、本実施形態においては、支持面２３に向けて開口する流入口５５にその気体が流入されやすい。そのため、加熱部４１により加熱される気体の一部は、流路４３を通じて装置の内部を循環される。その一方で、支持面２３に支持される媒体９９から生じる蒸気は、吹出口５６から吹き出す気体によって支持面２３に押し付けられるように流れるため、装置の外部に排出される。これにより、熱効率をよくしつつ、蒸気を好適に排出することができる。
【００５４】
（４）加熱部４１は、吹出口５６と流入口５５との間に配置されている。吹出口５６から吹き出す気体は、加熱部４１により加熱される領域を通過する。そのため、吹出口５６から吹き出す気体は、加熱部４１により効果的に加熱される。これにより、熱効率をよくすることができる。
【００５５】
（５）吹出口５６は、その開口面積が流入口５５よりも小さくなるように構成されている。これにより、吹出口５６から吹き出す気体の風速を速めることができる。そのため、媒体９９から生じる蒸気が、吹出口５６が位置する側から装置の外部に排出される虞を低減できる。
【００５６】
（６）側壁部材６３は、第２壁部材６２よりも支持面２３に近い位置にまで延びる。これにより、加熱部４１により加熱された気体が側壁部材６３と支持面２３との間の隙間から外部に流れることが抑制される。すなわち、熱効率をよくすることができる。
【００５７】
（７）乾燥処理を行う記録装置（媒体処理装置）１１は、気体を加熱し、加熱された気体を、支持面（斜面）２３に沿って鉛直上方から鉛直下方に向けて流動させ、流動させた気体を流路４３に流入させることで、循環させる。そのため、加熱された気体が支持面（斜面）２３に沿って鉛直上方に流動する虞が低減される。すなわち、例えば媒体に液体を付着させて記録する記録部１５が鉛直上方に位置する場合に、乾燥処理に伴って生じる蒸気が記録部１５に向けて流れる虞を低減できる。したがって、蒸気を好適に排出できる。
【００５８】
上記実施形態は、以下のように変更してもよい。以下に示す変更例は、適宜組み合わせてもよい。
・流入口５５は、支持面２３に向けて開口する構成に限らない。流入口５５は、例えば、流入口５５を形成する第１壁部材６１が支持面２３に沿って延び、吹出口５６を向いて開口してもよい。
【００５９】
・加熱部４１は、流路４３内に配置されてもよい。この場合、流路４３内にて加熱された気体を媒体９９に吹き付けることによって、媒体９９を乾燥させる。
・筐体４２は、内壁５１及び外壁５２が一体的となるように構成されてもよい。
【００６０】
・すくい面５７は、湾曲する面でもよい。
・すくい面５７は設けられなくともよい。すなわち、第１壁部材６１が支持面２３に対して垂直に延びる構成でもよい。
【００６１】
・加熱装置４０と対向する支持面２３は、水平に延びる面でもよいし、湾曲する面でもよい。
・加熱装置４０は、記録装置１１に着脱可能に装着されてもよい。
【００６２】
・加熱装置４０は、記録装置１１の収容体１２内に収容されてもよい。
・送風機４４は、流入口５５または吹出口５６に配置されてもよい。
・加熱部４１が備える発熱体は、ヒーター管４５に限らず、電熱線、熱源ランプなどでもよい。
【００６３】
・記録部１５が噴射する液体はインクに限らず、例えば機能材料の粒子が液体に分散又は混合されてなる液状体などでもよい。例えば、記録部１５が液晶ディスプレイ、ＥＬ（エレクトロルミネッセンス）ディスプレイ及び面発光ディスプレイの製造などに用いられる電極材または色材（画素材料）などの材料を分散または溶解のかたちで含む液状体を噴射してもよい。
【００６４】
・記録部１５は、媒体９９に接触することによって液体を媒体９９に付着させるように構成されてもよい。
・記録部１５は、媒体９９の幅方向において長尺に延びるラインヘッドタイプでもよい。
【００６５】
・記録装置１１は、ページ単位で印刷するページプリンターであってもよい。
・加熱装置４０は印刷物以外の物の乾燥を促進するために用いてもよい。
・媒体９９は用紙に限らず、転写フィルムなどのプラスチックフィルムまたは薄い板材などでもよいし、捺染装置などに用いられる布帛でもよい。
【符号の説明】
【００６６】
１１…記録装置、１２…収容体、１３…支持部、１４…搬送部、１５…記録部、１６…第１支持板、１７…第２支持板、１８…第３支持板、２１…支持面、２２…支持面、２３…支持面、２４…搬送ローラー、２５…ヘッド、２６…キャリッジ、２７…ガイド軸、４０…加熱装置、４１…加熱部、４２…筐体、４３…流路、４４…送風機、４５…ヒーター管、４６…反射板、４７…ファン、５１…内壁、５２…外壁、５５…流入口、５６…吹出口、５７…すくい面、５８…金網、６１…第１壁部材、６２…第２壁部材、６３…側壁部材、９９…媒体。
【図１】
2019064124.tif 000003
【図２】
2019064124.tif 000004
【図３】
2019064124.tif 000005